(57)【特許請求の範囲】
【請求項１】
電気かみそり本体に装着される固定部と、電気かみそり本体の刃先方向にスライドする刈り高さ調整用の櫛歯を有するスライド櫛部と、固定部に対してスライド櫛部を任意のスライド位置で仮保持するためのロック機構部とを備えた電気かみそり用アタッチメントにおいて、上記ロック機構部は、スライド櫛部に設けられるロックボタンと、固定部に設けられ上記ロックボタンに係合して櫛歯の刈り高さが変化しないようにスライド櫛部を仮保持するための係合部とを備え、上記係合部はスライド櫛部のスライド方向と略平行な方向に間隔をあけて複数設けられ、いずれか１つの係合部にロックボタンが係合可能とされると共にロックボタンと係合部との係合面をスライド櫛部のロック方向に対して傾斜させてなり、上記スライド櫛部を上記固定部に対してスライド自在に組み立てる組み立て手段を備え、上記組み立て手段は、上記スライド櫛部に設けられる左右一対のフックと、上記固定部に設けられ上記フックがスライド自在に挿入係止される左右一対の係止溝とからなり、上記スライド櫛部の刈り高さが少なくとも３段階で調整可能となるように上記左右の係止溝を上記スライド櫛部のスライド方向と略平行な方向に長く形成すると共に、左右の係止溝の長さ方向の両端位置を除く中間位置のみで左右のフックを広げて左右の係止溝に対して挿入係止可能とすると共に、左右のフックが係合する左右の係止溝の中央の空きスペースを利用して、上記ロックボタンに係合して櫛歯の刈り高さが変化しないように上記スライド櫛部を仮保持するための上記係合部を配置したことを特徴とする電気かみそり用アタッチメント。
【請求項２】
上記係止溝の最下端部に、上記スライド櫛部が最も下降した状態でロックボタンの先端部分に係合可能となるストッパーを設けたことを特徴とする請求項１記載の電気かみそり用アタッチメント。
【発明の詳細な説明】
【技術分野】
【０００１】
本発明は、刈り高さを調整するための電気かみそり用アタッチメントに関するものである。
【背景技術】
【０００２】
従来から、毛髪のカットを行う場合、電気かみそりのみを用いて仕上がりの長さを揃えるには施術者自身の熟練が必要である。そこで使用者の頭の髪の毛を均一の長さにカットできるように、頭皮に対して刈り高さ調整用の櫛歯を備えると共に櫛歯に刃先方向にスライドした任意位置で櫛歯を仮保持するようにした電気かみそり用アタッチメントが知られている。
【０００３】
ところが、櫛歯の保持力が弱いと、使用中にアタッチメントに強い荷重が加わった場合は櫛歯が不用意にスライドしてしまうという問題があった。
【０００４】
この問題点を解決すべく、櫛歯の保持力を高めるためのロック機構部を備えた電気かみそり用アタッチメントとして例えば特許文献１が知られている。この従来例では、スライド釦を上下に動かすことにより、階段状に設けられた溝部に沿って櫛部が上下に移動するようになっており、このとき溝部の勾配がなくなるところで櫛部の移動が阻止され、使用時に櫛歯が移動してしまい刈り高さが変動してしまうのを防止できるようにしている。ところが、この従来例においては、電気かみそり本体に対する櫛部の保持強度が強いために、仮りに櫛部を無理やり押し込んだり、或いは電気かみそりを落としてしまった場合のように、使用時に大荷重や強い衝撃等がかかったときは、櫛部を任意のスライド位置で仮保持する手段を構成する部品が破壊したり、変形したりする恐れがあった。
【特許文献１】特表平１１−５１３５７９号公報
【発明の開示】
【発明が解決しようとする課題】
【０００５】
本発明は上記の従来の問題点に鑑みて発明したものであって、アタッチメントの使用時にアタッチメントに大荷重や強い衝撃等がかかったときにロック機構部を構成する部品の破壊や変形を防止できるようにした電気かみそり用アタッチメントを提供することを課題とし、さらに、落下や無理な引っ張り操作等により分解してしまうのを確実に防止できる電気かみそり用アタッチメントを提供することを課題とするものである。
【課題を解決するための手段】
【０００６】
前記課題を解決するために本発明は、電気かみそり本体８に装着される固定部１と、電気かみそり本体８の刃先方向にスライドする刈り高さ調整用の櫛歯４を有するスライド櫛部２と、固定部１に対してスライド櫛部２を任意のスライド位置で仮保持するためのロック機構部３とを備えた電気かみそり用アタッチメントにおいて、上記ロック機構部３は、スライド櫛部２に設けられるロックボタン５と、固定部１に設けられ上記ロックボタン５に係合して櫛歯４の刈り高さが変化しないようにスライド櫛部２を仮保持するための係合部６とを備え、上記係合部６はスライド櫛部２のスライド方向Ａと略平行な方向に間隔をあけて複数設けられ、いずれか１つの係合部６にロックボタン５が係合可能とされると共にロックボタン５と係合部６との係合面７をスライド櫛部２のロック方向Ｃに対して傾斜させてなり、上記スライド櫛部２を上記固定部１に対してスライド自在に組み立てる組み立て手段１０を備え、上記組み立て手段１０は、上記スライド櫛部２に設けられる左右一対のフック１１と、上記固定部１に設けられ上記フック１１がスライド自在に挿入係止される左右一対の係止溝１２とからなり、上記スライド櫛部２の刈り高さが少なくとも３段階で調整可能となるように上記左右の係止溝１２をスライド櫛部２のスライド方向Ａと略平行な方向に長く形成すると共に、左右の係止溝１２の長さ方向の両端位置Ｐ１，Ｐ２を除く中間位置Ｐ３のみで左右のフック１１を広げて左右の係止溝１２に対して挿入係止可能とすると共に、左右のフック１１が係合する左右の係止溝１２の中央の空きスペースを利用して、上記ロックボタン５に係合して櫛歯４の刈り高さが変化しないように上記スライド櫛部２を仮保持するための上記係合部６を配置したことを特徴としている。
【０００７】
このような構成とすることで、ロックボタン５と係合部６との係合面７がロック方向Ｃの力に対して勾配θ（テーパー形状）を有するようになり、ロック方向Ｃにかかる荷重が一定以下のときはロック状態で保持されるが、例えばスライド櫛部２を無理やり押し込んだり、電気かみそりを落としてしまった場合のようにロック方向Ｃの力が一定以上となったときはロックボタン５がテーパー方向に滑る力が働いてロックが解除され、ロック機構部３を構成する部品の破壊や変形を防止できるようになる。
【０００８】
また、上記スライド櫛部２を固定部１に対してスライド自在に組み立てる組み立て手段１０を備え、上記組み立て手段１０は、スライド櫛部２に設けられる左右一対のフック１１と、上記固定部１に設けられ上記フック１１がスライド自在に挿入係止される左右一対の係止溝１２とからなり、スライド櫛部２の刈り高さが少なくとも３段階で調整可能となるように上記左右の係止溝１２をスライド櫛部２のスライド方向Ａと略平行な方向に長く形成すると共に、左右の係止溝１２の長さ方向の両端位置Ｐ１，Ｐ２を除く中間位置Ｐ３のみで左右のフック１１を広げて左右の係止溝１２に対して挿入係止可能としたので、係止溝１２の中間位置Ｐ３においてのみアタッチメント９の組み立て或いは分解が可能となる。一方、アタッチメント９の使用時に、スライド櫛部２に対して無理な引っ張りや引き剥がしの力がかかったり、無理な押し込み力がかかると、スライド櫛部２が係止溝１２の両端位置Ｐ１，Ｐ２のいずれかに勢い良く移動し、その勢いでフック１１が係止溝１２から外れようとするが、係止溝１２の両端位置Ｐ１，Ｐ２ではフック１１が広がることができないため係止溝１２から外れず、従って、落下や無理な引っ張り操作等によってアタッチメント９が不用意に分解するのを防止できるものである。そのうえ左右のフック１１が係合する左右の係止溝１２の中央の空きスペースを利用して、ロックボタン５に係合して櫛歯４の刈り高さが変化しないようにスライド櫛部２を仮保持するための係合部６を配置したので、アタッチメント９の組み立て手段１０とロック機構部３とを狭いスペースに効率良く集中して設置でき、アタッチメント９をコンパクト化できる利点もある。
また、上記係止溝１２の最下端部に、上記スライド櫛部２が最も下降した状態でロックボタン５の先端部分５ａに係合可能となるストッパー４０を設けるのが好ましい。この場合、スライド櫛部２が最下位置Ｐ２にあるときは、ロックボタン５の先端部分５ａがストッパー４０に当たって保持されるようになる。
【発明の効果】
【０００９】
本発明は、ロックボタンと係合部との係合面をスライド櫛部のロック方向に対して傾斜させたことにより、ロック方向にかかる荷重が一定以下のときはロック状態で保持されるが、アタッチメントに大荷重や強い衝撃等がかかったときはロックボタンがテーパー方向に滑る力が働いてロックが解除されることでロック機構部を構成する部品の破壊や変形を防止できるようになり、結果、破断や破壊が起きない電気かみそり用アタッチメントを提供できるものである。
【００１０】
さらに、係止溝の中間位置においてのみアタッチメントの組み立て或いは分解が可能となり、係止溝の両端位置では分解を確実に防止でき、そのうえアタッチメントの組み立て手段とロック機構部とを狭いスペースに効率良く集中して設置できてアタッチメントをコンパクト化できる電気かみそり用アタッチメントを提供できるものである。
【発明を実施するための最良の形態】
【００１１】
以下、本発明を添付図面に示す実施形態に基いて説明する。
【００１２】
電気かみそり本体８の先端部には、図９〜図１１に示すように、体毛を除去する刃ブロック１３が設けられている。本例の刃ブロック１３は、往復駆動する前後一対のネット刃１４と、ネット刃１４の両外側に配置される前後一対のトリマー刃１５とを備えている。刃ブロック１３を保持する外カセット１６の正面部には、一方のトリマー刃１５を上下させるトリマー用操作釦１７が設けられ、外カセット１６の両側面部には、外カセット１６を電気かみそり本体８に着脱するための着脱用釦１８が設けられている。図１１中の１９は刃ブロック１３全体を左右に首振り可能とする首振り用操作釦である。
【００１３】
上記外カセット１６には刈り高さ調整用のアタッチメント９が着脱自在に装着される。アタッチメント９は、外カセット１６に装着固定される固定部１と、電気かみそり本体８の刃先方向にスライドする櫛歯４を備えたスライド櫛部２と、固定部１にスライド櫛部２をスライド自在に連結する組み立て手段１０（図５、図６）と、固定部１に対してスライド櫛部２を任意のスライド位置で仮保持するためのロック機構部３（図１、図２）とを備えている。
【００１４】
上記アタッチメント９の固定部１は、略四角筒状に形成されており、図９〜図１１に示すように外カセット１６に装着した状態で、固定部１の前面部１ａがトリマー用操作釦１７と首振り用操作釦１９との間に配置され、固定部１の両側面部１ｂが着脱用釦１８の上部に配置され、固定部１の背面部１ｃが外カセット１６の背面に配置される。なお、固定部１を外カセット１６に固定する手段として、外カセット１６に固定部１を圧入する方式、或いは、外カセット１６の外面に複数の小突起（図示せず）を突設し、固定部１の内面に小突起が嵌合する嵌合凹所（図示せず）を凹設する嵌合方式であってもよく、適宜設計変更自在である。
【００１５】
上記アタッチメント９のスライド櫛部２は、図３に示すように、先端に櫛歯４を有する櫛歯部分２ａと、この櫛歯部分２ａから略Ｌ字状に屈曲した保持部分２ｂとが略Ｌ字状に一体形成されており、保持部分２ｂが組み立て手段１０により固定部１の前面部１ａに組み付けられている。
【００１６】
本例では、固定部１の前面部１ａには一段低くなった段落ち部１ｄが形成され、この段落ち部１ｄにスライド櫛部２の保持部分２ｂがスライド自在に嵌め込まれている。ここで保持部分２ｂと段落ち部１ｄの輪郭はそれぞれ略Ｕ字状に曲成されており、スライド櫛部２が最下位置Ｐ２にあるときは（図７（ａ）の状態）、保持部分２ｂが段落ち部１ｄとがぴったりと嵌合するようになり、またこの状態ではロックボタン５の先端部分５ａが最下段のストッパー４０（図１）に当たって保持されるようになる。一方、スライド櫛部２が最上位置Ｐ１にあるとき（図８（ａ）の状態）は、保持部分２ｂと段落ち部１ｄ間の隙間Ｊは小さく、これにより仮りに櫛歯４に対して矢印Ｅで示す方向にこじる力が加わっても、櫛歯４のがたつきを例えば０．５ｍｍ以下に抑えることができるようになっている。
【００１７】
次に、組み立て手段１０を説明する。組み立て手段１０は、図４〜図６に示すように、スライド櫛部２の保持部分２ｂの内面から突出する左右一対のフック１１と、固定部１の前面部１ａに穿孔される左右一対の係止溝１２とからなる。なお本例では左右の各フック１１は、それぞれ、リブ付き上爪片１１ａと下爪片１１ｂとで構成されている。
【００１８】
左右一対の係止溝１２は、図４（ａ）に示すように、スライド櫛部２のスライド方向Ａと略平行な方向に細長く形成されていると共に、スライド櫛部２の刈り高さが少なくとも３段階で調整できる長さを有している。さらに図４（ａ）、図５、図６に示すように、左右の係止溝１２は、長さ方向の両端位置Ｐ１，Ｐ２では左右のフック１１が挿入係止できないように溝幅が狭くなっており、一方、係止溝１２の中間位置Ｐ３では左右のフック１１が挿入係止可能となるように、溝幅が広くなっている。
【００１９】
しかして、固定部１にスライド櫛部２を組み付けるにあたっては、スライド櫛部２の左右のフック１１（上爪片１１ａ、下爪片１１ｂ）を図６（ｂ）に示す係止溝１２の中間位置Ｐ３から挿入する。このとき係止溝１２の中間位置Ｐ３は溝幅が広くなっているため、左右のフック１１が矢印Ｍで示す外側方向に広げられながら、左右の係止溝１２にそれぞれ引っ掛け係止された状態（図５（ｃ）の状態）となる。つまり係止溝１２の中間位置Ｐ３においてのみアタッチメント９の組み立て或いは分解が可能である。その後、スライド櫛部２を上下にスライドさせると、左右のフック１１は係止溝１２の中間位置Ｐ３から最下位置Ｐ２或いは最上位置Ｐ１（図５（ｂ）の位置）へと自由にスライドでき、刈り高さ調整が可能となる。また本例では左右のフック１１をそれぞれ上爪片１１ａと下爪片１１ｂとで構成したので、係止溝１２に対するフック１１の係合力が高められ、これによりスライド櫛部２のぐらつき防止に有効となる。
【００２０】
ところで、アタッチメント９の使用時に、スライド櫛部２に対して無理な引っ張りや引き剥がしの力（図８（ｂ）の矢印Ｇ又はＨ方向）が作用した場合、スライド櫛部２が最上位置Ｐ１まで勢い良く上昇する。さらに、落下等で無理な押し込み力（図８（ａ）の矢印Ｆ方向）が作用すると、スライド櫛部２が最下位置Ｐ２まで勢い良く下降する。いずれの場合も、最上位置Ｐ１或いは最下位置Ｐ２に移動した勢いでフック１１（上爪片１１ａ、下爪片１１ｂ）が係止溝１２から外れようとするが、本発明では、図５（ｂ）のように係止溝１２の最上位置Ｐ１及び最下位置Ｐ２の溝幅をそれぞれ狭くして、図６（ａ）の最下位置Ｐ２では下爪片１１ｂと上爪片１１ａとが係止溝１２から外れないようにし、図６（ｃ）の最上位置Ｐ１では下爪片１１ｂと上爪片１１ａのリブ１１ｃとが係止溝１２から外れないようにしているので、落下や無理な引っ張り操作等によってアタッチメント９が不用意に分解するのを防止できるものである。
【００２１】
次に、スライド櫛部２がそれぞれの刈り高さにおいて使用時に高さが変化しないように保持するためのロック機構部３を説明する。ロック機構部３は、図１、図２に示すように、スライド櫛部２の保持部分２ｂに設けられるロックボタン５と、固定部１の前面部１ａに突設される横向き台形状の係合部６と、最下段のストッパー４０とで構成される。
【００２２】
本例のロックボタン５の上端部には、スライド櫛部２の保持部分２ｂに設けた孔部から突出する操作部５ｃが設けられ、下端部には係合部６に係合する先端部分５ａが設けられ、操作部５ｃと先端部分５ａとの間には固定部１の内面に摺接可能な軸部５ｂが突設されている。またロックボタン５はバネ体（図示せず）などによって先端部分５ａを固定部１側に押し付ける力が常に付与されている。
【００２３】
一方、固定部１の内面には、図４（ａ）に示すように、スライド櫛部２のスライド方向Ａと略平行な方向に間隔をあけて上下２個の横向き台形状係合部６が突設されており、いずれか１つの係合部６にロックボタン５の先端部分５ａが係合可能とされ、さらにスライド櫛部２が最も下降した状態で最下段のストッパー４０に係合可能とされ、これにより、スライド櫛部２の刈り高さが少なくとも３段階で調整できるようになっている。また図４（ａ）の例では上下２個の係合部６は左右２列に設けられ、各列の係合部６に跨るようにしてロックボタン５の先端部分５ａが係合可能となっている。なお刈り高さの一例として図７（ａ）で示す３ｍｍ位置、図７（ｂ）のＳ１で示す６ｍｍ位置、図８（ａ）のＳ２で示す９ｍｍ位置の３段階を例示しているが、もちろんこれらの数値に限定されるものではない。
【００２４】
しかして、アタッチメント９の刈り高さを調整するときは、ロックボタン５の操作部５ｃを指で押し込むと、軸部５ｂを中心にして先端部分５ａが図２の矢印Ｎ方向に変形して係合部６との係合が外れ、この状態でスライド櫛部２を上下にスライドさせることにより、刈り高さを自由に調整できるようになる。そして、任意の刈り高さでロックボタン５から指を離すとバネ力でロックボタン５の先端部分５ａが元の状態に復帰して別の係合部６に係合するようになる。
【００２５】
さらに本発明においては、図２に示すように、ロックボタン５の先端部分５ａと係合部６との係合面７が、スライド櫛部２のロック方向Ｃに対して勾配θを有している。図２においてはロック方向Ｃは下方であり、係合面７は下方になるに従って前方へ突出するテーパー形状をしている。これにより、ロック方向Ｃの力が一定以上となったときにはロックボタン５の先端部分５ａがテーパー方向Ｃ１に向かって滑る力が働き、ロック機構部３を構成する部品の破壊や変形を防止できるようになる。つまり、固定部１に対するスライド櫛部２の保持強度は、ロック方向Ｃにかかる荷重が一定以下のときはロック状態で保持されるが、例えばスライド櫛部２を無理やり押し込んだり、電気かみそりを落としてしまった場合のように、ロック方向Ｃに一定以上の大荷重や強い衝撃等がかかったときは、ロックボタン５の先端部分５ａが係合部６の傾斜した係合面７を滑ることによりロックが解除された状態となる。このように、固定部１に対するスライド櫛部２の保持強度を弱めることで、ロック機構部３を構成する部品の折れや変形が発生してしまうのを防止できるようになり、結果、破断や破壊が起きないアタッチメント９を提供できるものである。
【００２６】
さらに本例では、左右のフック１１が係合する左右の係止溝１２の中央の空きスペースを利用して、ロックボタン５が係合する係合部６を配置しているので、アタッチメント９の組み立て手段１０とロック機構部３とを狭いスペースに効率良く集中して設置でき、アタッチメント９をコンパクト化できる利点もある。
【００２７】
ところで、スライド櫛部２と固定部１とをスライド自在に組み合わせた場合において、電気かみそり本体８のネット刃１４とトリマー刃１５とでカットされた毛屑が、図１の矢印Ｕ方向から固定部１とスライド櫛部２の隙間に侵入して、その隙間のなかで放置される形となり、仮りに毛屑がロックボタン５周辺、とくにロックボタン５の先端部分５ａと係合部６との隙間に付着してしまうと、ロックボタン５に滑りが発生して、ロックができなくなる。そこで、本例では図１に示すように、固定部１の前面部１ａの上縁部からその全幅方向にリブ状の防塵壁３０を突設させてスライド櫛部２の保持部分２ｂの内面に摺接させてある。これにより、スライド櫛部２と固定部１との隙間に毛屑が侵入するのを防塵壁３０にて未然に防止でき、毛屑による保持強度の低下を確実に防止できるものである。
【図面の簡単な説明】
【００２８】
【図１】本発明の一実施形態の刈り高さ調整用のアタッチメントに用いるロック機構部を示し、図８（ａ）のＸ−Ｘ線から見た垂直断面図である。
【図２】図１のＢ部の拡大断面図である。
【図３】同上のアタッチメントの斜視図である。
【図４】同上のアタッチメントの固定部を示し、（ａ）は正面図、（ｂ）は平面断面図、（ｃ）は背面図、（ｄ）は底面図である。
【図５】（ａ）は同上のアタッチメントの片側半分の断面図、（ｂ）は係止溝の最上位置及び最下位置にフックが係合した状態を説明する拡大断面図、（ｃ）は係止溝の中間位置にフックが係合した状態を説明する拡大断面図である。
【図６】同上のアタッチメントの刈り高さを調整する場合の係止溝とフックとの位置関係を示し、（ａ）は最上位置にあるときの係止溝とフックとの位置関係の説明図、（ｂ）は中間位置にあるときの係止溝とフックとの位置関係の説明図、（ｃ）は最下位置にあるときの係止溝とフックとの位置関係の説明図である。
【図７】（ａ）は同上のスライド櫛部の刈り高さが３ｍｍ位置にある場合の説明図、（ｂ）は刈り高さが６ｍｍ位置にある場合の説明図である。
【図８】（ａ）は同上のスライド櫛部の刈り高さが９ｍｍ位置にある場合の説明図、（ｂ）は同上のスライド櫛部にかかる引っ張り荷重の方向及び引き剥がし荷重の方向の説明図である。
【図９】同上のアタッチメントを装着した電気かみそりの背面図である。
【図１０】同上のアタッチメントを装着した電気かみそりの側面図である。
【図１１】同上のアタッチメントを装着した電気かみそりの正面図である。
【符号の説明】
【００２９】
１  固定部
２  スライド櫛部
３  ロック機構部
４  櫛歯
５  ロックボタン
６  係合部
７  係合面
１０  組み立て手段
１１  フック
１２  係止溝
Ａ  スライド方向
Ｃ  ロック方向
Ｐ１，Ｐ２  係止溝の両端位置
Ｐ３  係止溝の中間位置
【図１】
0004824967.tif 000002
【図２】
0004824967.tif 000003
【図３】
0004824967.tif 000004
【図４】
0004824967.tif 000005
【図５】
0004824967.tif 000006
【図６】
0004824967.tif 000007
【図７】
0004824967.tif 000008
【図８】
0004824967.tif 000009
【図９】
0004824967.tif 000010
【図１０】
0004824967.tif 000011
【図１１】
0004824967.tif 000012